(57)【要約】      （修正有）【課題】バックホウの先端の油圧ブレーカ部分と、土壌の吸引掘削ポールを連結して固定しておくための用具を提供する。【解決手段】バックホウの先端に取り付けられた油圧ブレーカ１２と、土壌の吸引掘削ポール１０とを連結して固定するための連結固定具１であって、連結固定具１は、油圧ブレーカ１２の固定部分と、土壌の吸引掘削ポール１０の固定部分とで成る。又、油圧ブレーカ１２の固定部分は、円筒状部分を挿入する穴と、円筒状部分上部に位置する角柱部分を挿入する型枠とを備え、土壌の吸引掘削ポール１０の固定部分は、吸引掘削ポール１０を挟んで、四本のボルトによって固定する二枚の鉄板を備えて構成する。【選択図】図１
0003160398.tif 000002
【実用新案登録請求の範囲】
【請求項１】
バックホウの先端に取り付けられた油圧ブレーカと、土壌の吸引掘削ポールと、
を連結して固定するための連結固定具であって、
前記連結固定具は、前記油圧ブレーカの固定部分と、前記土壌の吸引掘削ポールの固定部分と、
から成り、
前記油圧ブレーカの固定部分は、円筒状部分を挿入する穴と、前記円筒状部分上部に位置する角柱部分を挿入する型枠と、
を備え、
前記土壌の吸引掘削ポールの固定部分は、前記土壌の吸引掘削ポールを挟んで、四本のボルトによって固定する二枚の鉄板を備えたことを特徴とする連結固定具。
【請求項２】
前記土壌の吸引掘削ポールは、前記二枚の鉄板にＭ字型座金を配置して固定されることを特徴とする請求項１に記載の連結固定具。
【請求項３】
前記連結固定具は、前記油圧ブレーカの固定部分と、前記土壌の吸引掘削ポールの固定部分との間に、強化用の鉄板を設けたことを特徴とする請求項１または請求項２に記載の連結固定具。
【考案の詳細な説明】
【技術分野】
【０００１】
本考案は、バックホウの先端の油圧ブレーカ部分と、土壌の吸引掘削ポールを連結して固定しておくための用具に関する。
【背景技術】
【０００２】
地中に水道管、ガス管、ケーブル挿通管等の各種配管類が埋設されている可能性のある場所での土壌掘削作業では、そのような埋設配管を破損してしまう可能性がある。そのため通常の掘削機を使用した作業を行うことができないので、人力による手掘りによって埋設配管の有無を確認しながら、段掘りによって掘削を進めていく方法が採られていた。しかしながら、このような人力による手掘りは、非常に大変な作業である上に時間がかり、作業効率が極めて悪いという問題があった。
【０００３】
そこで、本考案者の先の実用新案登録第３１４３０７６号には、「吸引装置の吸引用ホースに接続して掘削を行うための吸引掘削用のアタッチメントを、先端側に複数の掘削用の刃から構成された掘削部を有し、そして後端側に前記吸引用ホースと接続する接続口を有する中空状のアタッチメント本体と、前記アタッチメントの長手軸垂直方向に設けられ、把持部と、前記把持部を前記アタッチメント本体の長手軸に沿って移動可能に固定する固定機構と、から構成することによって解決できることを見出した（請求項１）。」とあり、「このように構成すると、吸引装置とホースを介して接続された状態で、本考案のアタッチメントを掘削する土壌に突き刺し作業者が土壌に対して水平方向と下方向に力を加えるだけで先端に設けられた掘削部の作用により中空状の本体を介して土壌を容易に吸引掘削可能となる。」という記載の通り、作業効率の大幅な改善が可能となった。
【先行技術文献】
【特許文献】
【０００４】
【特許文献１】実用新案登録第３１４３０７６号
【特許文献２】特許２９３５６３７号
【考案の開示】
【考案が解決しようとする課題】
【０００５】
吸引掘削作業を作業者が直接力を加えて行う上記のシステムでは、直径が１００−１２０π（ｍｍ）の吸引掘削ポールが対象であった。ポールの径を直径１２５π（ｍｍ）まで拡大化すれば、更なる作業の効率化が可能であることが見出されたが、直径１２５π（ｍｍ）まで拡大すると、ポール自体の重量が増し、人力で吸引掘削ポールを操作することが困難となる。
【０００６】
本考案は上記の問題を解決するため、土壌吸引掘削ポールを、土木作業に頻用されるバックホウの先端部分に取り付けた油圧ブレーカに連結して固定しておくための用具を提供する。
【課題を解決するための手段】
【０００７】
上記課題を解決するための請求項１の考案は、バックホウの先端に取り付けられた油圧ブレーカと、土壌の吸引掘削ポールとを連結して固定するための連結固定具であって、連結固定具は、油圧ブレーカの固定部分と、土壌の吸引掘削ポールの固定部分とから成り、油圧ブレーカの固定部分は、円筒状部分を挿入する穴と、円筒状部分上部に位置する角柱部分を挿入する型枠とを備え、土壌の吸引掘削ポールの固定部分は、土壌の吸引掘削ポールを挟んで、四本のボルトによって固定する二枚の鉄板を備えたことを特徴とする連結固定具に関する。
【０００８】
請求項２の考案は、土壌の吸引掘削ポールを、二枚の鉄板にＭ字型座金を配置して固定することを特徴とする請求項１に記載の連結固定具に関する。本考案者は、吸引掘削ポールをアルミ製のバンドを用いて鉄板に固定する実験も行ったが、これでは確実に固定できないという経緯があった。
【０００９】
請求項３の考案は、連結固定具の油圧ブレーカの固定部分と、土壌の吸引掘削ポールの固定部分との間に、強化用の鉄板を設けたことを特徴とする請求項１または請求項２に記載の連結固定具に関する。この鉄板を設けることによって、二つの固定部分の連結機能の向上を図り、吸引掘削作業時の衝撃を吸収することが可能となる。
【考案の効果】
【００１０】
本考案によると、連結固定具を介して、バックホウ先端部分の油圧ブレーカと、土壌の吸引掘削ポールを、それぞれの固定部分に挿入して固定することによって、従来の人力ではなく、バックホウの重量を利用した安全かつ安定した吸引掘削作業が可能となった。
【図面の簡単な説明】
【００１１】
【図１】本考案に係る掘削排土システムを示す全体構成図である。
【図２】本考案の連結固定具を示す正面図である。
【図３】本考案の連結固定具を示す上面図である。
【図４】本考案の連結固定具を示す斜視図である。
【図５】本考案の実施例を示す正面図である。
【考案を実施するための最良の形態】
【００１２】
以下、本考案の実施の形態を添付図面に基づいて説明する。図１は、本考案の掘削排土システムを示す全体構成図である。図２〜図４は、本考案の連結固定具をそれぞれ正面、上面、正面斜位から見た図であり、図５は、図１における本考案の連結固定部を拡大した実施例を示す図である。
【００１３】
図１および図５に示す通り、本考案の連結固定具１は、吸引排土車等の吸引装置の吸引用のホースｈに接続して、吸引掘削作業を行うための吸引掘削ポール１０と、バックホウの先端に取り付けた油圧ブレーカ１２とを固定しておくための用具である。
【００１４】
なお、本考案にいう吸引掘削とは、中空状の吸引掘削ポール１０を介して土壌を吸引しながら掘削する作業を意味する。
【００１５】
吸引掘削ポール１０の長さは、掘削する穴の深さに応じて適宜選択されるが、一般的には１．５ｍから３ｍ、好ましくは約２．５ｍの長さを有している。なお、所望により、掘削する深さに応じて継ぎ足しすることも可能である。
【００１６】
また、本考案の吸引掘削ポール１０は、吸引装置に接続されるホースｈの形状に応じた断面形状及び断面寸法を有しており、直径１２５πの円形の断面形状を有している。
【００１７】
さらに、吸引掘削ポール１０は、先端部に掘削用の刃から構成される掘削部１１を有しているが、掘削部１１を構成する刃は、掘削時に変形しない材質、例えば焼入れした鉄系の金属で構成された刃である。この際の刃の形状は、特許文献１にある従来の移植コテ形状の刃のように鋭利ではなく、水平状であることが好ましい。これは、従来は作業者が直接力を加えて吸引掘削作業を行っていたため、埋設物を破損するほどの負荷がかからなかったが、バックホウを用いる本考案では、掘削部が鋭利であると、埋設物を破損させる可能性があるためである。
【００１８】
次いで、図２〜図４に基づいて本考案の連結固定具１を詳細に説明する。これらの図の右側は、バックホウの先端に取り付けた油圧ブレーカ１２の固定部からなり、左側が吸引掘削ポール１０の固定部からなる。
【００１９】
また、それぞれの固定部の間には、強化手段として、さらに鉄板２６が設けられている。この強化用鉄板２６を設けることで、それぞれの固定部の連結機能を強化することができ、吸引掘削作業の衝撃に耐えうる設計となっている。
【００２０】
吸引掘削ポール１０の固定部は、二枚の鉄板２３ａ，ｂとボルト２４ｇ〜ｊからなるが、一方の鉄板２３ｂは、強化手段の鉄板２６とともに油圧ブレーカ１２の固定部と溶接され、一体となっている。
【００２１】
油圧ブレーカ１２の固定部は下部に油圧ブレーカ１２の円筒状部分の挿入部２１を有し、四箇所をボルト２４ａ〜ｄで固定する。上部は油圧ブレーカ１２の角柱状部分の挿入部２２を有しており、二箇所をボルト２４ｅ，ｆで固定する。
【００２２】
この実施形態では、吸引掘削ポール１０の固定部の二枚の鉄板２３ａ，ｂに、それぞれの内側の上部と下部にＭ字型座金２５を二枚ずつ配置して吸引掘削ポール１０を挟み込む。そして、鉄板２３ａ，ｂの四隅をＭ字型座金２５ａ〜ｄの両端の孔を介して、それぞれボルト２４ｇ〜ｊを通し固定する。Ｍ字型座金２５ａ〜ｄを用いて吸引掘削ポール１０を挟んで固定することで、安定度を格段に向上できる。
【００２３】
そして、本考案の吸引掘削ポール１０の掘削部１１を吸引掘削すべき土壌に垂直に突き刺して作業を行う。
【符号の説明】
【００２４】
１          連結固定具
１０        吸引掘削ポール
１１        掘削部
１２        油圧ブレーカ
２１        油圧ブレーカ円筒状部分挿入部
２２        油圧ブレーカ角柱状部分挿入部
２３ａ，ｂ  鉄板
２４ａ〜ｊ  ボルト
２５ａ〜ｄ  Ｍ字型座金
２６        強化用鉄板
ｈ          吸引用ホース
【図１】
0003160398.tif 000003
【図２】
0003160398.tif 000004
【図３】
0003160398.tif 000005
【図４】
0003160398.tif 000006
【図５】
0003160398.tif 000007